(57)【特許請求の範囲】
【請求項１】
前面が開口する本体の両側内側壁に棚板支持用の支柱を設け、この支柱間に棚板を支持したショーケースにおいて、前記支柱が断面略コの字状に形成され、かつ断面略コの字状の開口を前記本体の内背壁に向けた状態で、前記支柱が前記本体の内背壁の近傍に配置され、この支柱の内側に照明器が縦長に支持され、この照明器の光を前記支柱の前記開口を介して前記本体の内背壁側に照射し、前記内背壁側で反射させた光によって前記庫内を間接照明することを特徴とするショーケース。
【請求項２】
前記支柱を前記照明器の間接照明用のカバーとすることを特徴とする請求項１記載のショーケース。
【請求項３】
前記支柱の側部に前記棚板を支持する棚受けの取り付け孔を設けたことを特徴とする請求項１又は２記載のショーケース。
【請求項４】
前記本体の内背壁に前記照明器の光を反射させる波状の飾り板を設けたことを特徴とする請求項１乃至３のいずれか１項記載のショーケース。
【請求項５】
前記本体の内背壁との間に隙間をあけて半透明の飾り板が設けられ、前記照明器の光を前記本体の内背壁に反射させ、当該半透明の飾り板を通して庫内が間接照明されることを特徴とする請求項１乃至３のいずれか１項記載のショーケース。
【請求項６】
前記飾り板を交換可能に設けたことを特徴とする請求項４又は５記載のショーケース。
【請求項７】
前記照明器はクリップで支持され、このクリップは止め具で前記支柱に固定され、前記支柱と前記内背壁との間には前記照明器を着脱可能な空間が形成され、前記止め具を緩めてこの止め具を持って前記照明器を内背壁側に移動させ、前記空間を通じて前記照明器を前記支柱から着脱自在に構成したことを特徴とする請求項１乃至６のいずれか１項記載のショーケース。
【発明の詳細な説明】
【０００１】
【発明の属する技術分野】
本発明は、商品陳列用の棚を支持する支柱を備えたショーケースに関する。
【０００２】
【従来の技術】
一般に、低温ショーケースや非冷ショーケース等のショーケースには、庫内に陳列された商品を照明するための蛍光灯等の照明器が設けられる。
【０００３】
従来、低温ショーケースの照明器は、例えば貯蔵室の両側部、貯蔵室の天井部、商品陳列棚の下側、センターピラーの裏側等に取り付けられ、商品は前方から照らされる。また、非冷ショーケースの照明器は、前記低温ショーケースと同様の位置、或いはガラス製の商品陳列棚を備えた非冷ショーケースにあっては庫内の天井部の中央等に取り付けられる。
【０００４】
【発明が解決しようとする課題】
しかしながら、上述したショーケースでは、庫内の商品に直接光を当てることにより商品が照明されるので、照明による商品の演出効果が低いという問題がある。
【０００５】
そこで、本発明の目的は、上述した従来の技術が有する課題を解消し、商品の演出効果を高めることができるショーケースを提供することにある。
【０００６】
【課題を解決するための手段】
請求項１記載の発明は、前面が開口する本体の両側内側壁に棚板支持用の支柱を設け、この支柱間に棚板を支持したショーケースにおいて、前記支柱が断面略コの字状に形成され、かつ断面略コの字状の開口を前記本体の内背壁に向けた状態で、前記支柱が前記本体の内背壁の近傍に配置され、この支柱の内側に照明器が縦長に支持され、この照明器の光を前記支柱の前記開口を介して前記本体の内背壁側に照射し、前記内背壁側で反射させた光によって前記庫内を間接照明することを特徴とするものである。
【０００７】
この発明によれば、照明器の光が本体の内背壁方向に照射して庫内を間接照明するので、庫内の演出効果を高めることができる。
【０００８】
請求項２記載の発明は、請求項１記載の発明において、前記支柱を前記照明器の間接照明用のカバーとすることを特徴とするものである。
【０００９】
この発明によれば、支柱を照明器の間接照明用のカバーとするので、照明器の間接照明用のカバーを不要にできる。
【００１０】
請求項３記載の発明は、請求項１又は２記載の発明において、前記支柱の側部に前記棚板を支持する棚受けの取り付け孔を設けたことを特徴とするものである。
【００１１】
この発明によれば、支柱の側部に棚受けの取り付け孔を設けたので、照明器を点灯した時にショーケースの前面から照明器の光が直接見えない。
【００１２】
請求項４記載の発明は、請求項１乃至３のいずれか１項記載の発明において、前記本体の内背壁に前記照明器の光を反射させる波状の飾り板を設けたことを特徴とするものである。
【００１３】
この発明によれば、照明器の光が波状の飾り板で反射するので、飾り板に陰影ができ、独特の演出効果を生じさせることができる。
【００１４】
請求項５記載の発明は、請求項１乃至３のいずれか１項記載の発明において、前記本体の内背壁との間に隙間をあけて半透明の飾り板が設けられ、前記照明器の光を前記本体の内背壁に反射させ、当該半透明の飾り板を通して庫内が間接照明されることを特徴とするものである。
【００１５】
この発明によれば、照明器の光を内背壁に反射させて半透明の飾り板を通して庫内が間接照明されるので、独特の演出効果を生じさせることができる。
【００１６】
請求項６記載の発明は、請求項４又は５記載の発明において、前記飾り板を交換可能に設けたことを特徴とするものである。
【００１７】
この発明によれば、飾り板を交換可能に設けたので、該飾り板を取り外して他の飾り板に交換できる。
【００１８】
請求項７記載の発明は、請求項１乃至６のいずれか１項記載の発明において、前記照明器はクリップで支持され、このクリップは止め具で前記支柱に固定され、前記支柱と前記内背壁との間には前記照明器を着脱可能な空間が形成され、前記止め具を緩めてこの止め具を持って前記照明器を内背壁側に移動させ、前記空間を通じて前記照明器を前記支柱から着脱自在に構成したことを特徴とするものである。
【００１９】
この発明によれば、止め具を緩めてこの止め具を持って照明器を内背壁側に移動させ、支柱から空間を通じて照明器を着脱できるので、照明器を容易に交換できる。
【００２０】
【発明の実施の形態】
以下、本発明の一実施形態を図面に基づいて説明する。
【００２１】
図１において、符号１は本実施形態による冷蔵ショーケースのショーケース本体を示す。このショーケース本体１の底部には、図２に示すように、機械室２が形成され、この機械室２には、圧縮機３、凝縮器４等が収納される。機械室２の上方には冷却室５が形成され、この冷却室５には冷却器６等が収納される。冷却室５の上方には貯蔵室（庫内）７が形成され、この貯蔵室７の前面には２枚のスライド扉９が取り付けられ、貯蔵室７の背面側には内背壁１０が形成される。符号１２は冷却室５及び貯蔵室７を囲む断熱箱体であり、符号１３は冷却室５と貯蔵室７とを仕切る仕切り板である。
【００２２】
前記圧縮機３、凝縮器４、冷却器６等は冷媒管で接続され、冷却運転時にはこれらの構成機器を冷媒が循環する。すなわち、圧縮機３から吐出されたガス冷媒は凝縮器４で凝縮して液冷媒に変化し、この液冷媒は冷却器６でガス冷媒に変化する。冷却器６では、液冷媒からガス冷媒に変化するときの潜熱を利用して該冷却器６の周囲の空気が冷却され、この冷却空気が貯蔵室７を循環して、貯蔵室７が冷却される。
【００２３】
貯蔵室７の両側内側壁には、図１に示すように上下方向に延びる棚受け支柱２０が設けられる。
【００２４】
各棚受け支柱２０は、図３に示すように断面略コ字状であり、内背壁１０側に開口２１が形成されている。また、棚受け支柱２０の側面には、図４に示すように複数の取り付け孔２２が形成され、この取り付け孔２２には、図５Ａ及び５Ｂに示すように棚受け２３が係止される。この棚受け２３は鋼板を直角に折り曲げて形成され、前記取り付け孔２２に係止されるフック部２４とこのフック部２４から貯蔵室７の前面方向に延びる棚板支持部２５とを備える。板棚支持部２５の上には、図３に示すように棚板２７が配置され、この棚板２７の上には商品が随時陳列される。
【００２５】
また、棚受け支柱２０には、図４に示すように複数のＵ字形の切り欠き３１が形成され、この切り欠き３１には、図６に示すように人の手で締結可能な化粧ビス（止め具）３２が設けられ、この化粧ビス３２を締め付けてクリップ３３が固定される。このクリップ３３には透明な材料で形成された円筒型の蛍光灯ジャケット３４が嵌め込まれ、この蛍光灯ジャケット３４の中には蛍光灯（照明器）３５が収納されている。この蛍光灯３５の両端には該蛍光灯３５を挟んで縦長に支持する蛍光灯ソケット（図示せず）が設けられる。
【００２６】
棚受け支柱２０と内背壁１０との間には、図７に示すように蛍光灯３５が通過可能な空間４１が形成される。
【００２７】
蛍光灯３５を取り外す場合には、棚板２７を取り外し、化粧ビス３２を緩め、この化粧ビス３２を持って蛍光灯ジャケット３４に収納された蛍光灯３５を棚受け支柱２０の蛍光灯収納部４９から内背壁１０側（矢印Ａ方向）に移動させ、空間４１を通じて蛍光灯３５を棚受け支柱２０から引き出すことができる。
【００２８】
蛍光灯３５を取り付ける場合には、クリップ３３を蛍光灯３５が収納された蛍光灯ジャケット３４に嵌め込んで、空間４１を通じて蛍光灯３５を棚受け支柱２０の蛍光灯収納部４９に収納し、クリップ３３を化粧ビス３２で棚受け支柱２０のＵ字形の切り欠き３１に固定する。
【００２９】
このように、化粧ビス３２を持って空間４１を通じて蛍光灯３５を棚受け支柱２０に着脱できるので、棚受け支柱２０を取り外すことなく蛍光灯３５を容易に交換できる。
【００３０】
尚、蛍光灯３５の前部及び側部は断面コ字状の棚受け支柱２０によって囲まれており、棚受け２３の取り付け孔２２は棚受け支柱２０の前面ではなく、棚受け支柱２０の内側面に形成されているので、蛍光灯３５を点灯してもショーケース本体１の前面からは蛍光灯３５の光が直接見えない。
【００３１】
本実施形態では、貯蔵室７の内背壁１０には断面波状の波板（飾り板）４２がビス止めされる。
【００３２】
蛍光灯３５を囲む棚受け支柱２０には内背壁１０側に開口２１が形成されており、蛍光灯３５を点灯すると、蛍光灯３５の光は開口２１を通じて波板４２に向けて照射されて波板４２の前面で反射する。従って、当該波板４２で反射したやさしい光が商品の背後から照射され、貯蔵室７の商品が間接的に照明されるので、商品の演出効果を高めることができる。また、蛍光灯３５の光が貯蔵室７の側方から波板４２の前面に向けて照射され、波板４２に陰影が形成されるので、独特の雰囲気がかもし出される。特に、貯蔵室７に陳列された商品が例えば瓶入り飲料や透明・半透明の商品である場合には、商品の演出効果がより高くなる。
【００３３】
波板４２の別の実施形態として、図７に示すように内背壁１０との間に隙間４４をあけて半透明材料（例えば、すりガラスや和紙等のシートを貼り付けた樹脂板）で形成された半透明板４５を設けてもよい。
【００３４】
この別の実施形態では、蛍光灯３５の光は半透明板４５の端部４７及び隙間４４を介して内背壁１０から光が入ることにより、半透明板４５の後側（内背壁１０側）に光源があるように見え、また半透明板４５がシェードのように見えるので、独特の雰囲気がかもし出され、商品の演出効果を高めることができる。
【００３５】
前記した波板４２又は半透明板４５を取り外す場合には、棚板２７を取り外し、波板４２又は半透明板４５を固定しているビスを外すことにより容易に交換できる。また、前記した棚受け支柱２０は蛍光灯３５の前部及び側部を囲んで照明器３５の光を内背壁１０方向のみに導く間接照明用のカバーを兼ねているので、別に間接照明用のカバーを設ける必要がない。また、棚受け支柱２０は貯蔵室７の両側部奥に配置されるので、貯蔵空間を極端に減少させることはない。
【００３６】
以上、実施形態に基づいて本発明を説明したが、本発明はこれに限定されるものでないことは明らかである。本実施形態では低温ショーケースを示したが、非冷ショーケースにも適用は可能である。また、上述の実施形態では貯蔵室７の内背壁１０側には波板４２又は半透明板４５を設けているが、波板４２又は半透明板４５を設けないで、蛍光灯３５の光を内背壁１０に直接照射して内背壁１０で反射させることにより貯蔵室７を間接照明してもよい。
【００３７】
【発明の効果】
請求項１記載の発明によれば、照明器の光が本体の内背壁方向に照射して庫内を間接照明するので、庫内の演出効果を高めることができる。
【００３８】
請求項２記載の発明によれば、支柱を照明器の間接照明用のカバーとするので、照明器の間接照明用のカバーを不要にできる。
【００３９】
請求項３記載の発明によれば、支柱の側部に棚受けの取り付け孔を設けたので、照明器を点灯した時にショーケースの前面から照明器の光が直接見えない。
【００４０】
請求項４記載の発明によれば、照明器の光が波状の飾り板で反射するので、飾り板に陰影ができ、独特の演出効果を生じさせることができる。
【００４１】
請求項５記載の発明によれば、照明器の光を内背壁に反射させて半透明の飾り板を通して庫内が間接照明されるので、独特の演出効果を生じさせることができる。
【００４２】
請求項６記載の発明によれば、飾り板を交換可能に設けたので、該飾り板を取り外して他の飾り板に交換できる。
【００４３】
請求項７記載の発明によれば、止め具を緩めてこの止め具を持って照明器を内背壁側に移動させ、支柱から空間を通じて照明器を着脱できるので、照明器を容易に交換できる。
【図面の簡単な説明】
【図１】本実施形態による冷蔵ショーケースの貯蔵室を示す斜視図である。
【図２】図１の冷蔵ショーケースの縦断面図である。
【図３】図１の冷蔵ショーケースの横断面図である。
【図４】棚受け支柱を示す側面図である。
【図５】棚受けを係止した棚受け支柱を示し、（Ａ）は側面図、（Ｂ）は正面図である。
【図６】棚受け支柱の内部を示す横断面図である。
【図７】別の実施形態による冷蔵ショーケースの横断面図である。
【符号の説明】
１  ショーケース本体
７  貯蔵室
２０  棚受け支柱
２７  棚板
３５  蛍光灯
４１  空間
４２  波板
４５  半透明板
【図１】
0004107752.tif 000002
【図２】
0004107752.tif 000003
【図３】
0004107752.tif 000004
【図４】
0004107752.tif 000005
【図５】
0004107752.tif 000006
【図６】
0004107752.tif 000007
【図７】
0004107752.tif 000008